(57)【要約】【課題】被介助者の着座姿勢及び被介助者の体格に応じた起立動作を行うことができる介助ロボットを提供する。【解決手段】介助ロボットは、基台と、基台に対して少なくとも上下動可能な保持基部と、保持基部に設けられ、被介助者の体の一部を保持する保持部と、基台に対する保持部の動作を行うアクチュエータと、保持部を着座姿勢から起立姿勢へ移動させるためのアクチュエータの動作軌跡を予め記憶する記憶部と、着座状態の被介助者の体格および着座高さの少なくとも一方に合うように、保持部の着座姿勢における上下方向位置の変更が入力操作される上下動操作部と、アクチュエータを制御し、保持部を着座姿勢から起立姿勢へ移動させる制御部と、を備え、制御部は、上下動操作部への入力操作に基づいて保持部の上下方向位置を移動させ、移動させた後の保持部の上下方向位置に応じて、起立姿勢へ移動させるためのアクチュエータの動作軌跡を補正する。【選択図】図６
2020028720.tif 000002
【特許請求の範囲】
【請求項１】
基台と、
前記基台に対して少なくとも上下動可能な保持基部と、
前記保持基部に設けられ、被介助者の体の一部を保持する保持部と、
前記基台に対する前記保持部の動作を行うアクチュエータと、
前記保持部を着座姿勢から起立姿勢へ移動させるための前記アクチュエータの動作軌跡を予め記憶する記憶部と、
着座状態の前記被介助者の体格および着座高さの少なくとも一方に合うように、前記保持部の前記着座姿勢における上下方向位置の変更が入力操作される上下動操作部と、
前記アクチュエータを制御し、前記保持部を前記着座姿勢から前記起立姿勢へ移動させる制御部と、
を備え、
前記制御部は、
前記上下動操作部への入力操作に基づいて前記保持部の前記上下方向位置を移動させ、移動させた後の前記保持部の前記上下方向位置に応じて、前記起立姿勢へ移動させるための前記アクチュエータの前記動作軌跡を補正する、介助ロボット。
【請求項２】
前記保持部は、前記被介助者の体格に応じて形状を変更可能なアタッチメント本体を備える、請求項１に記載の介助ロボット。
【請求項３】
前記保持部は、前記被介助者の左右の脇を挟む、請求項１又は２に記載の介助ロボット。
【請求項４】
前記保持部は、
左右の肘載置部と、
前記被介助者により握られる左右の把持部と、
を備える、請求項１に記載の介助ロボット。
【請求項５】
前記保持部は、前記保持基部に対して着脱可能に設けられる、請求項１−４の何れか一項に記載の介助ロボット。
【発明の詳細な説明】
【技術分野】
【０００１】
本発明は、被介助者の起立動作を補助する介助ロボットに関する。
【背景技術】
【０００２】
特許文献１〜４に記載された介助ロボットが知られている。この種の介助ロボットは、着座姿勢から起立姿勢への動作を補助する。これらの介助ロボットは、着座姿勢における被介助者の上半身の一部を保持した状態で、起立姿勢へ移動する。
【先行技術文献】
【特許文献】
【０００３】
【特許文献１】特開平０９−０６６０８２号公報
【特許文献２】特開２０１２−０３００７７号公報
【特許文献３】特開２００８−０６７８４９号公報
【特許文献４】特開２０１２−２１７６８６号公報
【発明の概要】
【発明が解決しようとする課題】
【０００４】
ところで、より安定した状態で起立動作を補助するためには、被介助者の着座姿勢及び被介助者の体格に応じた起立動作を行うことが求められる。
【０００５】
本発明は、被介助者の着座姿勢及び被介助者の体格に応じた起立動作を行うことができる介助ロボットを提供することを目的とする。また、本発明は、簡易な構成により上記起立動作を行うことができる介助ロボットを提供することを目的とする。
【課題を解決するための手段】
【０００６】
本発明に係る介助ロボットは、基台と、前記基台に対して少なくとも上下動可能な保持基部と、前記保持基部に設けられ、被介助者の体の一部を保持する保持部と、前記基台に対する前記保持部の動作を行うアクチュエータと、前記保持部を着座姿勢から起立姿勢へ移動させるための前記アクチュエータの動作軌跡を予め記憶する記憶部と、着座状態の前記被介助者の前記体格および着座高さの少なくとも一方に合うように、前記保持部の前記着座姿勢における上下方向位置の変更が入力操作される上下動操作部と、前記アクチュエータを制御し、前記保持部を前記着座姿勢から前記起立姿勢へ移動させる制御部と、を備え、前記制御部は、前記上下動操作部への入力操作に基づいて前記保持部の前記上下方向位置を移動させ、移動させた後の前記保持部の前記上下方向位置に応じて、前記起立姿勢へ移動させるための前記アクチュエータの前記動作軌跡を補正する。
【発明の効果】
【０００７】
被介助者又は介助者が上下動操作部に入力操作することにより、着座状態の被介助者の体格および着座高さの少なくとも一方に合うように、保持部の着座姿勢における上下方向位置が変更可能となる。そして、移動した後の保持部の上下方向位置に応じて、保持部を起立姿勢へ移動させるためのアクチュエータの動作軌跡が補正される。つまり、被介助者の体格や着座高さに応じて、起立姿勢へ移動する保持部の動作の開始位置が自由に決定される。特に、被介助者又は介助者の入力操作によって開始位置が任意の上下方向位置に自由に決定されるため、介助ロボットの操作性が良好となり、被介助者の起立動作が安定して行われる。
【図面の簡単な説明】
【０００８】
【図１】本発明による介助ロボットの一実施形態の右側から見た図である。
【図２】図１に示す伸張状態にある介助ロボットの内部構造の概要の右側から見た図である。
【図３】図１に示す伸張状態にある介助ロボットの内部構造の概要の後方から見た図である。
【図４Ａ】図１に示す保持部まわりの上方から見た図である。
【図４Ｂ】図４Ａに示す保持部の肘置きパッドを移動させた状態の保持部まわりの上方から見た図である。
【図５】図１に示す保持部のうち検出装置を示す断面図である。
【図６】図１に示す制御装置に関する機能ブロック図である。
【図７Ａ】介助ロボットが着座している被介助者を支えている様子を右側から見た図である。
【図７Ｂ】介助ロボットが起立している被介助者を支えている様子を右側から見た図である。
【図８】介助ロボットの起立動作を示す図である。
【図９】図６に示す第一制御部による処理を示すフローチャートである。
【図１０】図６に示す補正部による処理を示すフローチャートである。
【図１１】図６に示す第二制御部による処理を示すフローチャートである。
【図１２】介助ロボットの他の起立動作を示す図である。
【図１３】介助ロボットの他の起立動作を示す図である。
【図１４】他の保持部を取り付けた介助ロボットの右側から見た図である。
【図１５Ａ】図１４に示す他の保持部まわりの上方から見た図である。
【図１５Ｂ】図１４に示す他の保持部の左右の脇挟持部の間隔を変化させた状態の保持部まわりの上方から見た図である。
【図１６】カム機構を用いた保持部を取り付けた介助ロボットの右側から見た図である。
【図１７】図１６に示すカム機構の構成部品の上方から見た図である。
【図１８】図１６の介助ロボットの一部の右側から見た図の部分断面図である。
【図１９】保持部を移動させた状態の介助ロボットの一部の右側から見た図である。
【図２０】図１９の介助ロボットの一部の右側から見た図の部分断面図である。
【図２１】カム溝の一部を使用した状態の介助ロボットの一部の右側から見た図である。
【発明を実施するための形態】
【０００９】
（１．介助ロボットの構成）
以下、本発明による介助ロボットの一実施形態について説明する。介助ロボット１０は、被介助者Ｍ１の体の一部（例えば、上半身）を支えて起立及び着座を補助する。介助ロボット１０は、図１〜図３に示すように、基部１１、アクチュエータ１２、保持部１３、ハンドル（把持部）１４、操作装置１５、記憶装置（記憶部）１６及び制御装置１７を備える。以下に、介助ロボット１０の構造（記憶装置１６及び制御装置１７を除く構成）について、図１〜図５を参照して説明する。また、以下の説明において、前後左右は、介助ロボット１０の進行方向を前方としたときの前後左右とする。
【００１０】
基部１１は、基台２１、基部カバー２２及び搭乗プレート２３を備える。基台２１は、後方（図１にて左方向）に開口する平面視略Ｕ字形状に形成される。具体的には、基台２１は、左右フレーム２１ａ，２１ｂ、及び左右フレーム２１ａ，２１ｂの一端部（本実施形態では前端部（図１及び図２にて右方向））を連結する連結フレーム２１ｃを備える。左右フレーム２１ａ，２１ｂは、被介助者Ｍ１が入るために必要な間隔を開けて配置される。
【００１１】
左右フレーム２１ａ，２１ｂの後端部には、左右後輪２１ｄ，２１ｅがそれぞれ設けられる。なお、左右後輪２１ｄ，２１ｅは、それぞれモータにより駆動するようにしてもよい。左右フレーム２１ａ，２１ｂの前端部には、左右前輪２１ｈ，２１ｉがそれぞれ設けられる。左右前輪２１ｈ，２１ｉは、介助ロボット１０の進行方向に応じて回転可能である。
【００１２】
基部カバー２２は、図１に示すように、基台２１を上方から覆うカバーである。基部カバー２２は、基台２１と同様に後方に開口する平面視略Ｕ字形状に形成される。搭乗プレート２３は、図２及び図３に示すように、基台２１のＵ字状開口部分に設けられる。被介助者Ｍ１が搭乗プレート２３に搭乗することで、介助ロボット１０は、牽引車として機能する。また、搭乗プレート２３は、図２の二点鎖線にて示すように、立てた状態にすることができる。この場合には、介助ロボット１０は、歩行器として機能する。
【００１３】
アクチュエータ１２（３０）は、図２及び図３に示すように、スライド部３１及び傾動部３２を備える。スライド部３１は、保持部１３を基台２１に対して上下動させる。傾動部３２は、保持部１３を基台２１に対して傾動させる。
【００１４】
スライド部３１（４０）は、左右スライド部４１，４２を備える。左スライド部４１は、図３に示すように、スライド基部４１ａ、第一スライド部４１ｂ及び第二スライド部４１ｃを備える。左スライド部４１の基部は、基台２１の左フレーム２１ａに取り付けられる。すなわち、スライド基部４１ａは、基台２１に対して前側に所定角度（例えば８０度）にて傾斜させて取り付けられる。第一スライド部４１ｂは、スライド基部４１ａに対して長手方向（軸動方向）にスライドするものであり、収縮した際にはスライド基部４１ａ内にほぼ収容されるように構成される。第二スライド部４１ｃは、第一スライド部４１ｂに対して長手方向（軸動方向）にスライドするものであり、収縮した際には第一スライド部４１ｂ内にほぼ収容されるように構成される。
【００１５】
第二スライド部４１ｃの上端には、後方に向けて延設されているアーム部４３（保持基部）が取り付けられる。本実施形態では、アーム部４３は、左スライド部４１の長手方向に対して直交している。アーム部４３の先端部には、保持部１３が回動自在に取り付けられる。
【００１６】
さらに、スライド部３１は、第一及び第二スライド部４１ｂ、４１ｃをスライドさせる駆動用モータ４５（上下動アクチュエータ、第一アクチュエータ）を備える。駆動用モータ４５の出力は、変速機構４６及び第一ベルト４７を介して第二ベルト４８に伝達されるように構成される。第二ベルト４８は、プーリ４８ａ及びプーリ４８ｂに装架される。プーリ４８ａは、スライド基部４１ａの下端部に回転可能に取り付けられる。プーリ４８ｂは、スライド基部４１ａの上端部に回転可能に取り付けられる。第一スライド部４１ｂの下端部は、第二ベルト４８に固定される。
【００１７】
第三ベルト４９は、プーリ４９ａ及びプーリ４９ｂに装架される。プーリ４９ａは、第一スライド部４１ｂの下端部に回転可能に取り付けられる。プーリ４９ｂは、第一スライド部４１ｂの上端部に回転可能に取り付けられる。第二スライド部４１ｃの下端部４１ｃ１は、第三ベルト４９の一方側に固定される。スライド基部４１ａの上端部４１ａ１は、第三ベルト４９の他方側に固定される。
【００１８】
左スライド部４１は、第一スライド部４１ｂ及び第二スライド部４１ｃをカバーするスライドカバー４１ｄ（図１に示す）を備える。スライドカバー４１ｄは、筒状に形成される。スライドカバー４１ｄは、１つの筒状体で構成するようにしてもよいし、２つの筒状体がスライドする二段スライド式で構成するようにしてもよい。
【００１９】
右スライド部４２は、図２及び図３に示すように、左スライド部４１と同様に、スライド基部４２ａ、第一スライド部４２ｂ及び第二スライド部４２ｃを備える。右スライド部４２の基部は、基台２１の右フレーム２１ｂに取り付けられる。第二スライド部４２ｃの上端には、後方に向けて延設されているアーム部４４（保持基部）が取り付けられる。アーム部４４の先端部には、保持部１３が回動自在に取り付けられる。
【００２０】
さらに、駆動用モータ４５の出力は、変速機構４６及び第一ベルト５１を介して第二ベルト５２に伝達される。第二ベルト５２は、プーリ５２ａ及びプーリ５２ｂに装架される。プーリ５２ａは、スライド基部４２ａの下端部に回転可能に取り付けられる。プーリ５２ｂは、スライド基部４２ａの上端部に回転可能に取り付けられる。第一スライド部４２ｂの下端部は、第二ベルト５２に固定される。
【００２１】
第三ベルト５３は、プーリ５３ａ及びプーリ５３ｂに装架される。プーリ５３ａは、第一スライド部４２ｂの下端部に回転可能に取り付けられる。プーリ５３ｂは、第一スライド部４２ｂの上端部に回転可能に取り付けられる。第二スライド部４２ｃの下端部４２ｃ１は、第三ベルト５３の一方側に固定される。スライド基部４２ａの上端部４２ａ１は、第三ベルト５３の他方側に固定される。
【００２２】
右スライド部４２は、第一スライド部４２ｂ及び第二スライド部４２ｃをカバーするスライドカバー４２ｄ（図１に示す）を備える。スライドカバー４２ｄは、スライドカバー４１ｄと同様に構成される。
【００２３】
駆動用モータ４５が正方向に駆動すると、第二ベルト４８が回転され、第一スライド部４１ｂは、スライド基部４１ａに対して軸動方向に沿って伸張する。同時に、第一スライド部４１ｂの上昇に伴って第三ベルト４９が回転され、第二スライド部４１ｃは、第一スライド部４１ｂに対して軸動方向に沿って伸張する。左スライド部４１の伸張動作は、右スライド部４２においても同様である。
【００２４】
一方、駆動用モータ４５が逆方向に駆動すると、第二ベルト４８が伸張時と反対回りに回転され、第一スライド部４１ｂは、スライド基部４１ａに対して軸動方向に沿って収縮する。同時に、第一スライド部４１ｂの下降に伴って第三ベルト４９が伸張時と反対回りに回転され、第二スライド部４１ｃは、第一スライド部４１ｂに対して軸動方向に沿って収縮する。左スライド部４１の収縮動作は、右スライド部４２においても同様である。これにより、アーム部４３，４４及び保持部１３は、基台２１に対して上下動される。なお、スライド部３１は、ベルトを用いる構成の他に、ボールねじなどを用いることもできる。
【００２５】
傾動部３２は、左右傾動部３２ａ，３２ｂを備える。左傾動部３２ａは、駆動用モータ３２ａ１（傾動アクチュエータ）、変換機構３２ａ２及び出力ロッド３２ａ３を備える。変換機構３２ａ２は、例えばボールねじを内蔵し、駆動用モータ３２ａ１の回転出力を直線運動に変換して出力ロッド３２ａ３に出力する。出力ロッド３２ａ３は、変換機構３２ａ２に対して軸方向に進退する。駆動用モータ３２ａ１及び変換機構３２ａ２は、第二スライド部４１ｃの下端部に取り付けられる。左傾動部３２ａは、第二スライド部４１ｃ及びアーム部４３に対して傾動可能に取り付けられる。出力ロッド３２ａ３の出力端は、保持部１３の前端部に傾動可能に取り付けられる。
【００２６】
右傾動部３２ｂは、左傾動部３２ａと同様に、駆動用モータ３２ｂ１（傾動アクチュエータ）、変換機構３２ｂ２及び出力ロッド３２ｂ３を備える。駆動用モータ３２ｂ１及び変換機構３２ｂ２は、第二スライド部４２ｃの下端部に取り付けられる。右傾動部３２ｂは、第二スライド部４２ｃ及びアーム部４４に対して傾動可能に取り付けられる。出力ロッド３２ｂ３の出力端は、保持部１３の前端部に傾動可能に取り付けられる。
【００２７】
駆動用モータ３２ａ１が正方向に駆動すると、出力ロッド３２ａ３が出力方向に向けて進む（伸張する）。同時に、駆動用モータ３２ｂ１が正方向に駆動すると、出力ロッド３２ｂ３が出力方向に向けて進む（伸張する）。その結果、保持部１３は、回転軸Ａ１まわりに反時計回り方向（図１及び図２にて）に回転する（後傾される）。一方、駆動用モータ３２ａ１が逆方向に駆動すると、出力ロッド３２ａ３が後退する（収縮する）。同時に、駆動用モータ３２ｂ１が正方向に駆動すると、出力ロッド３２ｂ３が後退する（収縮する）。その結果、保持部１３は、回転軸Ａ１まわりに時計回り方向（図１及び図２にて）に回転する（前傾される）。これにより、保持部１３は、基台２１及びアーム部４３，４４に対して傾動される。
【００２８】
保持部１３は、基台２１に対して少なくとも上下動可能かつ傾動可能である。また、保持部１３は、アーム部４３，４４に対して傾動可能である。さらに、保持部１３は、アーム部４３，４４に対して着脱可能（交換可能）なアタッチメントである。つまり、保持部１３は、被介助者Ｍ１の体格に応じて形成される。介助ロボット１０を使用する被介助者Ｍ１に合った保持部１３が、アーム部４３，４４に装着される。
【００２９】
保持部１３の後端部は、アーム部４３，４４の回転軸Ａ１まわりに回動自在に取り付けられる。保持部１３の前端部は、傾動部３２によって水平面に対して所定角度に調整され、その位置で支えられるようになっている。保持部１３は、被介助者Ｍ１の体の一部（例えば、上半身）を保持して起立及び着座ならびに歩行（移動）を補助する。
【００３０】
保持部１３は、例えば、被介助者Ｍ１の起立動作及び着座動作において被介助者Ｍ１に対して対向したときに、その上半身を支える部材である。保持部１３は、図４Ａに示すように、後方向（図４Ａにて下方向）に向けて開口する平面視略Ｕ字形状に形成される。保持部１３は、平面視略Ｕ字形状に形成された２枚の板部材６１，６２（保持部本体、アタッチメント本体）が重ねられた状態で構成される。板部材６１と板部材６２との間には、図５に示すように、被介助者Ｍ１から受ける重量配分を検出する検出装置６３が設けられる。
【００３１】
検出装置６３は、複数の圧力センサ６３ａから構成される。本実施形態では、圧力センサ６３ａは、保持部１３の４つの角部に配設される。圧力センサ６３ａは被介助者Ｍ１の前後方向（図５にて左右方向）に沿って左右に二つずつ設けられる。被介助者Ｍ１の前方向に設けられる圧力センサ６３ａが、前側圧力センサ６３ａｆである。被介助者Ｍ１の後方向に設けられる圧力センサ６３ａが、後側圧力センサ６３ａｒである。圧力センサ６３ａは、荷重の変化によって変化する起歪体の歪み量を電圧変化として検出するものや、シリコンチップに圧力が加わると、そのたわみに応じ、ゲージ抵抗が変化し電気信号に変換される半導体式圧力センサなどである。なお、検出装置６３は、面状圧力センサで構成されるようにしてもよい。
【００３２】
図４Ａに示すように、保持部１３の上面の後端部には、一対の肘置きパッド６４，６４（肘載置部）が設けられる。保持部１３の上面の前端部には、一対のハンドル１４，１４（把持部）が設けられる。ハンドル１４，１４は、被介助者Ｍ１の左右の手でそれぞれ握られるようになっている。
【００３３】
左右の肘置きパッド６４，６４の各々は、図４Ｂに示すように、板部材６１（保持部本体）に被介助者Ｍ１の左右方向間隔を可変に設けられる。さらに、左右の肘置きパッド６４，６４の各々は、ハンドル１４，１４との前後方向間隔を可変に設けられる。例えば、肘置きパッド６４，６４は、板部材６１に対して着脱可能としてもよいし、前後方向及び左右方向に移動可能となるようにガイドされる機構を採用してもよい。
【００３４】
左右の肘置きパッド６４，６４は、被介助者Ｍ１の体格に応じて適宜位置を調整される。これにより、被介助者Ｍ１が心地よい姿勢が維持され、且つ、被介助者Ｍ１を着座姿勢から起立姿勢へ動作する際に被介助者Ｍ１の姿勢が安定しやすい。
【００３５】
保持部１３の前後方向中央且つ左右方向中央には、胴体検出スイッチ６６（胴体検出器）が設けられる。胴体検出スイッチ６６は、板部材６１の上面より上側に突出しており、被介助者Ｍ１の胴体との接触を検出する。
【００３６】
保持部１３の上面の前端部には、操作装置１５が設けられる。操作装置１５は、画像を表示する表示部１５ａと、使用者（介助者や被介助者Ｍ１）からの入力操作を受け付ける操作部１５ｂとを備える。表示部１５ａは、液晶ディスプレイで構成されており、介助ロボット１０の作動モードの選択画面などを表示する。操作部１５ｂは、カーソルを上下左右に移動させるカーソルキー、入力をキャンセルするキャンセルキー，選択内容を決定する決定キーなどを備えており、使用者の指示をキー入力できるように構成される。
【００３７】
操作装置１５は、少なくとも、被介助者Ｍ１又は介助者により保持部１３の上下方向位置の変更を操作する上下動操作部１５ｃの機能、被介助者Ｍ１の身長を取得する身長取得部１５ｄの機能、及び、起立開始スイッチ１５ｅの機能を備える。上下動操作部１５ｃ、身長取得部１５ｄ、及び起立開始スイッチ１５ｅは、機能の発揮状況などを表示部１５ａに表示させてもよい。なお、操作装置１５は、表示部１５ａの表示機能と操作部１５ｂの入力機能とを備えており、画面上の表示を押すことで機器を操作するタッチパネルで構成するようにしてもよい。
【００３８】
保持部１３の下面には、図１に示すように、カバー６５が下方に向けて取り付けられる。カバー６５は、板状かつ扇状に形成されており、保持部１３とアーム部４３（又はアーム部４４）との隙間を塞いでいる。
【００３９】
（２．記憶装置及び制御装置の説明）
記憶装置１６及び制御装置１７について、図６〜図１３を参照して説明する。記憶装置１６（記憶部）は、予め定めた標準的な体格に相当する仮想的な被介助者Ｍ１を着座状態から起立させる場合に、保持部１３を基準着座姿勢から基準起立姿勢へ移動させるための、上下動アクチュエータとしての駆動用モータ４５及び傾動アクチュエータとしての駆動用モータ３２ａ１，３２ｂ１の動作軌跡を記憶する。
【００４０】
保持部１３の基準着座姿勢とは、図７Ａに示すように、予め定めた高さの着座部に仮想的な被介助者Ｍ１が着座している状態において、被介助者Ｍ１の前腕を支える状態の保持部１３の姿勢である。基準起立姿勢とは、図７Ｂに示すように、仮想的な被介助者Ｍ１が起立している状態において、被介助者Ｍ１の前腕を支える状態の保持部１３の姿勢である。
【００４１】
記憶装置１６に記憶されるアクチュエータ４５，３２ａ１，３２ｂ１の動作軌跡によって介助ロボット１０が動作した場合において、被介助者Ｍ１の肩部の動作軌跡Ｔａｓ１は、図８の破線にて示す。つまり、被介助者Ｍ１は、前傾しながら、起立する。
【００４２】
制御装置１７は、各種情報に基づいて、上下動アクチュエータとしての駆動用モータ４５及び傾動アクチュエータとしての駆動用モータ３２ａ１，３２ｂ１を制御する。制御装置１７は、第一制御部１７ａと、補正部１７ｂと、第二制御部１７ｃとを備える。
【００４３】
第一制御部１７ａは、図９に示すように、被介助者Ｍ１又は介助者による上下動操作部１５ｃへの操作の入力を判定する（Ｓ１１）。第一制御部１７ａは、上下動操作部１５ｃへの操作が入力された場合に、上下動操作に応じて上下動アクチュエータとしての駆動用モータ４５を制御する（Ｓ１２）。
【００４４】
具体的には、被介助者Ｍ１が着座状態のときに、被介助者Ｍ１又は介助者が上下動操作部１５ｃを上移動の操作を行うと、第一制御部１７ａが、駆動用モータ４５を制御して、保持部１３を上移動させる。一方、被介助者Ｍ１が着座状態のときに、被介助者Ｍ１又は介助者が上下動操作部１５ｃを下移動の操作を行うと、第一制御部１７ａが、駆動用モータ４５を制御して、保持部１３を下移動させる。
【００４５】
つまり、第一制御部１７ａは、被介助者Ｍ１が着座状態のときに、保持部１３の高さが被介助者Ｍ１の前腕の高さに合うように、保持部１３を移動させる。着座状態における被介助者Ｍ１の前腕の高さは、着座部の高さ及び被介助者Ｍ１の体格によって異なる。そこで、被介助者Ｍ１又は介助者が上下動操作部１５ｃの操作を行うことによって、容易に、保持部１３の高さが被介助者Ｍ１の前腕の高さに一致する。
【００４６】
補正部１７ｂは、記憶装置１６に記憶される基準となる動作軌跡を、第一制御部１７ａによって移動された保持部１３の上下方向位置及び被介助者Ｍ１の身長に基づいて補正する。補正部１７ｂは、図１０に示すように、第一制御部１７ａにより動作された状態の保持部１３の上下方向位置を取得する（Ｓ２１）。次に、補正部１７ｂは、身長取得部１５ｄにより取得された被介助者Ｍ１の身長を取得し（Ｓ２２）、記憶装置１６に記憶される動作軌跡を取得する（Ｓ２３）。
【００４７】
補正部１７ｄは、取得した上記情報に基づいて、記憶装置１６に記憶される動作軌跡を補正する。例えば、図１２に示すように、高い着座部に被介助者Ｍ１が着座している状態であって、被介助者Ｍ１の身長が記憶装置１６に記憶される標準的な体格の被介助者Ｍ１と同等の場合には、補正されたアクチュエータの動作軌跡による被介助者Ｍ１の肩部の動作軌跡Ｔａｓ２は、実線にて示す動作軌跡となる。ここで、図１２の破線は、記憶装置１６に記憶される被介助者Ｍ１の肩部の動作軌跡Ｔａｓ１である。
【００４８】
また、被介助者Ｍ１が標準的な体格の被介助者Ｍ１に比べて小柄である場合には、補正されたアクチュエータの動作軌跡による被介助者Ｍ１の肩部の動作軌跡Ｔａｓ３は、図１３の実線にて示す動作軌跡となる。図１３の破線は、記憶装置１６に記憶される被介助者Ｍ１の肩部の動作軌跡Ｔａｓ１である。
【００４９】
第二制御部１７ｅは、補正部１７ｄにより補正されたアクチュエータの動作軌跡に基づいて、上下動アクチュエータとしての駆動用モータ４５及び傾動アクチュエータとしての駆動用モータ３２ａ１，３２ｂ１を制御する。
【００５０】
第二制御部１７ｅは、図１１に示すように、起立開始スイッチ１５ｅがＯＮであるか否かを判定する（Ｓ３１）。第二制御部１７ｅは、起立開始スイッチ１５ｅがＯＮであれば、胴体検出スイッチ６６がＯＮであるか否かを判定する（Ｓ３２）。胴体検出スイッチ６６がＯＮとなる状態とは、被介助者Ｍ１が胴体検出スイッチ６６にもたれかかっている状態である。第二制御部１７ｅは、上記何れかの判定を満たさなければ、再びＳ３１から処理を繰り返す。つまり、第二制御部１７ｅは、胴体検出スイッチ６６がＯＮである場合に起立動作を行うため、被介助者Ｍ１の安定した起立動作を実現できる。
【００５１】
起立開始スイッチ１５ｅ及び胴体検出スイッチ６６がＯＮである場合には、第二制御部１７ｅは、補正部１７ｄにより補正されたアクチュエータの動作軌跡を取得する（Ｓ３３）。続いて、第二制御部１７ｅは、圧力センサ６３ａにより検出される各荷重を取得し（Ｓ３４）、補正されたアクチュエータの動作軌跡及び荷重に応じて起立制御を行う。例えば、第二制御部１７ｅは、被介助者Ｍ１が大きく前傾する場合には、被介助者Ｍ１の前傾を規制するような制御を行う。また、第二制御部１７ｅは、被介助者Ｍ１が大きく後傾する場合には、被介助者Ｍ１の後傾を規制するような制御を行う。第二制御部１７ｅは、起立位置へ到達するまでＳ３４，Ｓ３５の処理を繰り返し、起立位置へ到達した場合には処理を終了する（Ｓ３６）。
【００５２】
以上より、被介助者Ｍ１又は介助者が上下動操作部１５ｃを操作することにより、被介助者Ｍ１が着座状態において保持部１３の位置が任意の位置に移動可能となる。移動された保持部１３の上下方向位置に応じて、所定の起立姿勢へ移動させるためのアクチュエータの動作軌跡が補正される。つまり、被介助者Ｍ１の着座高さ及び被介助者Ｍ１の体格に応じて、起立姿勢へ移動する開始位置が自由に決定される。特に、被介助者Ｍ１又は介助者の操作によって開始位置が任意の位置に自由に決定されるため、操作性が良好となり、起立動作が安定して行われる。ここでいう体格とは、被介助者Ｍ１の胴体の長さ、臀部の大きさ及び上腕長さなどである。さらに、被介助者Ｍ１の身長に応じて、アクチュエータの動作軌跡が補正される。従って、介助ロボット１０は、被介助者Ｍ１の体格に応じた適切な起立動作を行うことができる。
【００５３】
さらに、肘置きパッド６４，６４は、被介助者Ｍ１の左右方向間隔を可変に設けられ、且つ、ハンドル１４，１４との前後方向間隔を可変に設けられる。つまり、保持部１３が、被介助者Ｍ１の体格に応じたものとなる。従って、介助ロボット１０は、より確実に且つ安定的に、被介助者Ｍ１の起立動作を行うことができる。
【００５４】
（３．アタッチメント）
保持部１３は、上述したように、アーム部４３，４４に対して着脱可能なアタッチメントである。肘置きパッド６４，６４及びハンドル１４，１４を有する保持部１３が、被介助者Ｍ１に応じて交換可能となる。
【００５５】
また、上記構造の保持部１３の他、図１４〜図１５Ｂに示す保持部１１３が適用可能である。保持部１１３は、被介助者Ｍ１の左右の脇で挟むタイプである。保持部１１３は、保持部１１３は、アーム部４３，４４に対して着脱可能なアタッチメントである。
【００５６】
保持部１１３は、板部材６１の上面に保持部本体１６６を備える。保持部本体１６６は、板部材６１の中央に固定される中心固定部１６６ａと、左右の脇挟持部１６６ｂ，１６６ｃとを備える。左右の脇挟持部１６６ｂ，１６６ｃは、中心固定部１６６ａに対してスライド可能である。つまり、被介助者Ｍ１の体格に応じて、保持部本体１６６の形状が適宜変更される。
【００５７】
このように、保持部１３，１１３がアーム部４３，４４に対して着脱可能なアタッチメントとされることにより、被介助者Ｍ１の体格に応じて、且つ、被介助者Ｍ１の病状などに応じて、適切な保持部１３，１１３が適用される。その結果、安定した起立動作が行われる。ここでいう体格とは、大柄や小柄などの被介助者Ｍ１の体型である。
【００５８】
（４．カム機構）
上記においては、保持部１３，１１３は、アーム部４３，４４に対して回転軸Ａ１まわりに回転する。ここで、介助ロボット１０が被介助者Ｍ１に対して着座状態から起立動作を行う場合に、介助ロボット１０は、被介助者Ｍ１を前傾させながら上昇することが望まれる。上記構成の介助ロボット１０は、被介助者Ｍ１を前傾させながら上昇することができる。以下に、カム機構を用いることにより、さらに大きな前傾動作を行うことができる介助ロボット２００について説明する。
【００５９】
図１６〜図１８に示すように、介助ロボット２００は、第二スライド部４１ｃ，４２ｃの上端に前方に向けて延設されているアーム部２４３，２４４（保持基部）を備える。アーム部２４３，２４４は、アーム部２４３，２４４の前端側を連結部２４５により連結される。さらに、アーム部２４３，２４４の各々は、左右外側に突出する２つずつのカムピン２４３ａ，２４３ａ，２４４ａ，２４４ａを備える。
【００６０】
保持部２１３は、板部材６２の下面の左右に固定されるカム板２６６，２６７を備える。カム板２６６，２６７は、カム板２６６，２６７の後端側を連結部２６８により連結される。カム板２６６，２６７には、カム溝２６６ａ，２６７ａが形成される。カム溝２６６ａ，２６７ａは、前側を直線状に形成され、後側を円弧状に形成される。カム溝２６６ａ，２６７ａには、カムピン２４３ａ，２４４ａがカム溝２６６ａ，２６７ａに沿って移動可能に挿入される。つまり、保持部２１３は、カム機構によりアーム部２４３，２４４に対して前後動可能且つ傾動可能に連結される。
【００６１】
さらに、介助ロボット２００は、直動アクチュエータ２３２（第二アクチュエータ）を備える。直動アクチュエータ２３２の一端が、連結部２４５に傾動可能に設けられ、直動アクチュエータ２３２の他端が、連結部２６８に傾動可能に設けられる。
【００６２】
直動アクチュエータ２３２は、第二制御部１７ｅにより制御される。図１６及び図１８に示すように直動アクチュエータ２３２が伸張している状態から、直動アクチュエータ２３２が収縮すると、保持部２１３は、図１９及び図２０に示すようになる。つまり、直動アクチュエータ２３２が収縮すると、保持部２１３は、カム溝２６６ａ，２６７ａの直線状部分によって、前側へ移動する。さらに、カム溝２６６ａ，２６７ａの円弧部分によって、保持部２１３は前傾する。従って、１つの直動アクチュエータ２３２によって、アーム部２４３，２４４に対して保持部２１３の前後動及び傾動が行われる。簡易な構成によって、保持部２１３の上記動作が可能となる。
【００６３】
また、被介助者Ｍ１の体格が小さい場合には、図２１に示すように、第二制御部１７ｅは、カム溝２６６ａ，２６７ａの全範囲を用いるのではなく、カム溝２６６ａ，２６７ａの一部を用いるようにすることもできる。つまり、補正部１７ｂは、被介助者Ｍ１の体格に応じてカム溝２６６ａ，２６７ａの動作範囲が異なるようにアクチュエータ２３２の動作軌跡を補正する。これにより、被介助者Ｍ１の体格に応じた適切な前後動及び傾動が実現される。
【符号の説明】
【００６４】
１０，２００：介助ロボット、  １３，１１３，２１３：保持部、  １４：ハンドル（把持部）、  １５ｃ：上下動操作部、  １５ｄ：身長取得部、  １５ｅ：起立開始スイッチ、  １６：記憶装置（記憶部）、  １７：制御装置、  １７ａ：第一制御部、  １７ｂ：補正部、  １７ｃ：第二制御部、  １７ｄ：補正部、  １７ｅ：第二制御部、  ２１：基台、  ３１：スライド部、  ３２：傾動部、  ３２ａ１，３２ｂ１：駆動用モータ（アクチュエータ）、  ４３，４４，２４３，２４４：アーム部（保持基部）、  ４５：駆動用モータ（第一アクチュエータ）、  ６１，６２：板部材（アタッチメント本体）、  ６４：肘置きパッド（肘載置部）、  ６６：胴体検出スイッチ、  ２３２：直動アクチュエータ（第二アクチュエータ）、  Ｍ１：被介助者
【図１】
2020028720.tif 000003
【図２】
2020028720.tif 000004
【図３】
2020028720.tif 000005
【図４Ａ】
2020028720.tif 000006
【図４Ｂ】
2020028720.tif 000007
【図５】
2020028720.tif 000008
【図６】
2020028720.tif 000009
【図７Ａ】
2020028720.tif 000010
【図７Ｂ】
2020028720.tif 000011
【図８】
2020028720.tif 000012
【図９】
2020028720.tif 000013
【図１０】
2020028720.tif 000014
【図１１】
2020028720.tif 000015
【図１２】
2020028720.tif 000016
【図１３】
2020028720.tif 000017
【図１４】
2020028720.tif 000018
【図１５Ａ】
2020028720.tif 000019
【図１５Ｂ】
2020028720.tif 000020
【図１６】
2020028720.tif 000021
【図１７】
2020028720.tif 000022
【図１８】
2020028720.tif 000023
【図１９】
2020028720.tif 000024
【図２０】
2020028720.tif 000025
【図２１】
2020028720.tif 000026